(57)【要約】【課題】得られた画像に付随する属性情報として、一貫しないと類推される情報が伴っていても、これによる不適切な処理が行われることを防止して、より適切な適応処理を行うことができるようにする。【解決手段】画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにすることにより、画像データに付随する付属データ中に一貫しないと類推される条件が存在した場合に、条件の修正や処理の中止を使用者に促すことができるようにする。【選択図】　　　　図１
2004096639.tif 000002
【特許請求の範囲】
【請求項１】
撮像装置により撮像された画像データを取得し、前記画像データに付随する付属データの中に一貫しないと類推される撮像に関する条件が存在したらその旨を操作者に警告して、前記一貫しないと類推される条件の修正、或いは処理の中止を使用者に促すようにするとともに、前記使用者により入力された指示に応じて、前記画像データに対して適応的な処理を施して印刷装置に出力するようにしたことを特徴とする画像処理装置。
【請求項２】
画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにしたことを特徴とする画像処理装置。
【請求項３】
前記警告に応じて前記条件の修正或いは処理中止を指示する入力が前記操作者によりなされたら前記指示入力に応じて前記一貫しないと類推される条件を修正して、前記画像データに対して適応的な処理が施されるようにして、好適な出力画像が得られるようにしたことを特徴とする請求項２に記載の画像処理装置。
【請求項４】
画像データを獲得する画像データ獲得手段と、
前記画像データ獲得手段によって獲得した画像データに付随する付属データを獲得する付属データ獲得手段と、
前記付属データ獲得手段によって獲得した付属データによる条件をチェックする条件チェック手段と、
前記付属データ獲得手段によって獲得した付属データに応じて、前記画像データに対して適応的な処理を施す適応処理手段と、
前記条件チェック手段により一貫しない条件が存在すると判定された場合に、その旨を警告する警告手段とを有することを特徴とする画像処理装置。
【請求項５】
前記条件チェック手段により一貫しない条件が存在すると判定された場合に条件の指示入力を行うための指示手段をさらに有し、前記適応処理手段は前記指示手段により入力された指示に応じて、前記画像データに対して適応的な処理を施すことを特徴とする請求項４に記載の画像処理装置。
【請求項６】
前記警告手段による警告は、表示手段の表示面上へ表示を行うことによって行われることを特徴とする請求項４または５に記載の画像処理装置。
【請求項７】
前記指示手段は、ポインティングデバイスを用いて構成されることを特徴とする請求項４〜６の何れか１項に記載の画像処理装置。
【請求項８】
撮像装置により撮像された画像データを取得し、前記画像データに付随する付属データの中に一貫しないと類推される撮像に関する条件が存在したらその旨を操作者に警告して、前記一貫しないと類推される条件の修正、或いは処理の中止を使用者に促すようにするとともに、前記使用者により入力された指示に応じて、前記画像データに対して適応的な処理を施して印刷装置に出力する画像処理方法。
【請求項９】
画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにしたことを特徴とする画像処理方法。
【請求項１０】
前記警告に応じて前記条件の修正或いは処理中止を指示する入力が前記操作者によりなされたら前記指示入力に応じて前記一貫しないと類推される条件を修正して、前記画像データに対して適応的な処理が施されるようにして、好適な出力画像が得られるようにしたことを特徴とする請求項９に記載の画像処理方法。
【請求項１１】
画像データを獲得する画像データ獲得工程と、
前記画像データ獲得工程によって獲得した画像データに付随する付属データを獲得する付属データ獲得工程と、
前記付属データ獲得工程によって獲得した付属データによる条件をチェックする条件チェック工程と、
前記付属データ獲得工程によって獲得した付属データに応じて、前記画像データに対して適応的な処理を施す適応処理工程と、
前記条件チェック工程により一貫しない条件が存在すると判定された場合に、その旨を警告する警告工程とを有することを特徴とする画像処理方法。
【請求項１２】
前記条件チェック工程により一貫しない条件が存在すると判定された場合に条件の指示入力を行うための指示工程をさらに有し、前記適応処理工程は前記指示工程により入力された指示に応じて、前記画像データに対して適応的な処理を施すことを特徴とする請求項１１に記載の画像処理方法。
【請求項１３】
前記警告工程による警告は、表示装置の表示面上へ表示を行うことによって行われることを特徴とする請求項１１または１２に記載の画像処理方法。
【請求項１４】
前記指示工程は、ポインティングデバイスを用いて行われることを特徴とする請求項１１〜１３の何れか１項に記載の画像処理方法。
【請求項１５】
画像信号によって表わされる画像データに付随する付属データに基づいて所定の画像処理を行うコンピュータプログラムであって、
画像データを獲得する画像データ獲得工程と、
前記画像データ獲得工程によって獲得した画像データに付随する付属データを獲得する付属データ獲得工程と、
前記付属データ獲得工程によって獲得した付属データによる条件をチェックする条件チェック工程と、
前記付属データ獲得工程によって獲得した付属データに応じて、前記画像データに対して適応的な処理を施す適応処理工程と、
前記条件チェック工程により一貫しない条件が存在すると判定された場合に、その旨を警告する警告工程とをコンピュータに実行させることを特徴とするコンピュータプログラム。
【請求項１６】
前記請求項１５に記載のコンピュータプログラムを記録したことを特徴とするコンピュータ読み取り可能な記録媒体。
【発明の詳細な説明】
【０００１】
【発明の属する技術分野】
本発明は画像処理装置、画像処理方法、コンピュータプログラム及びコンピュータ読み取り可能な記録媒体に関し、特に、撮像装置等の画像入力機器で得られた写真画像を対象とする画像処理装置及び方法に関し、特に得られた画像に付随して得られる属性情報に応じて適応的な画像処理をするために用いて好適なものである。
【０００２】
【従来の技術】
撮像装置、とりわけ、昨今、特に普及の進んでいるデジタルスチルカメラで得られた画像をカラープリンタ装置で出力することによって写真画像を生成する機会が増大している。このような状況の中で、最近では、例えば、特開２００１−１６７２６０、特開平１０−２１０３１１号等に見られるように、このような撮像画像信号に付随して与えられる属性情報等を用いた処理を行うようにするインテリジェント化が志向されてきている。
【０００３】
前述の特開２００１−１６７２６０では、画像中の被写体特徴を考慮することなく、いわば一定の補正処理をしてしまうよりも、画像内の被写体に関する情報（画像属性情報）に応じて適正な処理（露出補正）をすることが望ましいことを述べている。
【０００４】
すなわち、画像に付随する画像属性情報として、「肌色」を重視するべき写真であるかどうか等の情報が予め設定されている画像に対して、人物の肌色の露出を補正することで、白い壁をバックに人物を写した写真であったとしても、人物の顔が暗くつぶれることなく適正な露出補正を容易に行えるようにすること等が開示されている。
【０００５】
また、特開平１０−２１０３１１号では、得られた画像に付随するデータとしての撮影時の焦点距離に関する情報を用いて、画像内の被写体を推定して、適応的な処理を施すことを開示している。
【０００６】
すなわち、焦点が合っているのが遠景であれば風景画であると類推して空間フィルタをソフトにし、焦点が合っているのが中景であれば、ポートレート（人物画）であると類推し、極近景であれば文字（書面）であると類推して、空間フィルタをシャープに、かつ、文字の品位を向上させるためにマスキングＵＣＲ処理を強くかける処理を施すこと等が開示されている。
【０００７】
しかしながら、前記特開２００１−１６７２６０、特開平１０−２１０３１１号に述べられている画像に付随するデータは、必ずしも、一貫したデータとして与えられることが保証されるものではない。
【０００８】
例えば、特開平１０−２１０３１１号でいうところの遠景を撮影しており、風景画と推定されにるにもかかわらず、操作ミス等によって画像属性としては、人物画（特開２００１−１６７２６０においては、「人肌」）属性を与えられている等の適正ではない属性指定がなされることが発生する。
【０００９】
【発明が解決しようとする課題】
以上のような前述のように一貫しない複数の属性データが付属された画像データに対しては、適応的な処理によるインテリジェント化を図る上で、風景画に人物画用の適応処理を施してしまう等の、予期せぬ不適切な処理を施してしまう恐れが生じる。
【００１０】
本発明は前述の問題点にかんがみてなされたもので、得られた画像に付随する属性情報として、一貫しないと類推される情報が伴っていても、これによる不適切な処理が行われることを防止して、より適切な適応処理を行うことをできるようにすることを目的とする。
【００１１】
【課題を解決するための手段】
本発明の画像処理装置は、撮像装置により撮像された画像データを取得し、前記画像データに付随する付属データの中に一貫しないと類推される撮像に関する条件が存在したらその旨を操作者に警告して、前記一貫しないと類推される条件の修正、或いは処理の中止を使用者に促すようにするとともに、前記使用者により入力された指示に応じて、前記画像データに対して適応的な処理を施して印刷装置に出力するようにしたことを特徴としている。
また、本発明の他の特徴とするところは、画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにしたことを特徴としている。
また、本発明の他の特徴とするところは、画像データを獲得する画像データ獲得手段と、前記画像データに付随する付属データを獲得する付属データ獲得手段と、前記付属データ獲得手段によって獲得した付属データによる条件をチェックする条件チェック手段と、前記付属データ獲得手段によって獲得した付属データに応じて、前記画像データに対して適応的な処理を施す適応処理手段と、前記条件チェック手段により一貫しない条件が存在すると判定された場合に、その旨を警告する警告手段とを有することを特徴としている。
【００１２】
本発明の画像処理方法は、撮像装置により撮像された画像データを取得し、前記画像データに付随する付属データの中に一貫しないと類推される撮像に関する条件が存在したらその旨を操作者に警告して、前記一貫しないと類推される条件の修正、或いは処理の中止を使用者に促すようにするとともに、前記使用者により入力された指示に応じて、前記画像データに対して適応的な処理を施して印刷装置に出力するようにしたことを特徴としている。
また、本発明の他の特徴とするところは、画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにしたことを特徴としている。
また、本発明の他の特徴とするところは、画像データを獲得する画像データ獲得工程と、前記画像データに付随する付属データを獲得する付属データ獲得工程と、前記付属データ獲得工程によって獲得した付属データによる条件をチェックする条件チェック工程と、前記付属データ獲得工程によって獲得した付属データに応じて、前記画像データに対して適応的な処理を施す適応処理工程と、前記条件チェック工程により一貫しない条件が存在すると判定された場合に、その旨を警告する警告工程とを有することを特徴としている。
【００１３】
本発明のコンピュータプログラムは、画像信号によって表わされる画像データに付随する付属データに基づいて所定の画像処理を行うコンピュータプログラムであって、画像データを獲得する画像データ獲得工程と、前記画像データに付随する付属データを獲得する付属データ獲得工程と、前記付属データ獲得工程によって獲得した付属データによる条件をチェックする条件チェック工程と、前記付属データ獲得工程によって獲得した付属データに応じて、前記画像データに対して適応的な処理を施す適応処理工程と、前記条件チェック工程により一貫しない条件が存在すると判定された場合に、その旨を警告する警告工程とをコンピュータに実行させることを特徴としている。
【００１４】
本発明の記憶媒体は、前記に記載のコンピュータプログラムを記録したことを特徴としている。
【００１５】
本発明は前記技術手段を有するので、撮像により得られる画像信号によって表わされる画像データに付随する付属データ（属性データとも称する）が獲得されてチェックされ、一貫しないと類推される条件の有無や、最適な適応処理が判定される。そして、一貫しないと類推される条件が存在すると判定された場合には、その旨が操作者に警告され、条件の修正や処理の中止が促される。
【００１６】
そして、前記警告に応じて、条件の修正や処理中止の指示入力が操作者によりなされると、前記指示入力に応じて属性データや最適な適応処理の条件の修正が行われる。これにより、属性データやこれに基く適応処理の条件に応じて、前記画像データに対して適応的な処理が施され、より好適な出力画像が得られるようになる。
【００１７】
【発明の実施の形態】
次に、添付図面を参照しながら本発明の画像処理装置、画像処理方法、コンピュータプログラム及びコンピュータ読み取り可能な記録媒体の実施の形態について説明する。
図１は、本発明に係る画像処理装置の第１の実施の形態の機能構成を示すブロック図である。図１に示すように、本実施の形態の画像処理装置は、画像データ獲得手段２０、付属データ獲得手段３０、条件チェック手段４０、警告手段５０、指示手段６０、条件修正手段７０、適応処理手段８０、画像出力手段９０などによって構成されている。
【００１８】
前記画像データ獲得手段２０は、デジタルカメラ等で撮像された画像データを記憶したリムーバブルなデータ記憶メディアから画像データを読み取るメディアドライブ、あるいは、デジタルカメラ等で撮像された画像データを、通信路を経由して入力する通信インターフェース部等で構成され、被写体を含む撮影シーンを撮影して得られた画像データを取得する。そして、画像データ獲得手段２０により取得された画像データは、デジタル画像データとして適応処理手段８０に送られる。
【００１９】
付属データ獲得手段３０は、前記公知のデジタルカメラにより前記被写体を含む撮影シーンを撮影する際に、前記公知のデジタルカメラ自身のもつ測距機構により得られるカメラから被写体までの（合焦）距離情報や、前記公知のデジタルカメラの図示しない選択ボタンやダイヤルスイッチ等を用いた操作部を用いて、前記デジタルカメラの操作者により指示・選択されることによって得られる撮影モード情報等の画像属性情報（Ｅｘｉｆ情報）等を、前記デジタル画像に付随する付属情報として格納されたリムーバブルなデータ記憶メディアから読み取るメディアドライブ、もしくは、前記距離情報や画像属性情報等を前記デジタル画像に付随する付属情報として通信路を経由して入力する通信インターフェース部等で構成されるものである。
【００２０】
付属データ獲得手段３０により得られた、前記デジタル画像に付随する距離情報や画像属性情報等の複数種類のデータを含む付属情報は、条件チェック手段４０に送られる。
条件チェック手段４０では、付属データ獲得手段３０で得られた複数種類のデータを含む付属データの中で、一貫しないと類推される撮影条件の有無や、最適な適応処理を判定する。
【００２１】
条件チェック手段４０は、一貫しないと類推される条件が存在すると判定された場合には、その旨を警告手段５０により操作者に警告し、条件の修正や処理の中止を促す。
【００２２】
指示手段６０は、前記警告手段５０からの警告を受けた操作者により条件の修正や処理中止の指示入力を行うためのものであり、条件修正手段７０は、前記指示手段６０を介して操作者から指示が入力された場合は、その入力された指示入力に応じて、属性データや最適な適応処理の条件の修正を行う。
【００２３】
条件修正手段７０において修正された属性データや最適な適応処理の条件は、適応処理手段８０に送られる。適応処理手段８０は、前記属性データやこれに基く適応処理の条件に応じて、前記画像データに対して適応的な処理を施して適応的な処理に反映され、より好適な出力画像が得られるようにしている。
【００２４】
以下、本発明の画像処理装置を公知のデジタルカメラ等の撮像装置で撮像された画像データをカラープリンタ等の印刷装置で記録する画像処理システムに適用する例を用いて説明を進める。
図２は、前述の画像処理システムを構成する典型的な例として、ＰＣ（パーソナルコンピュータ）本体１、ディスプレイ装置２、キーボード３、マウス４、カラープリンタ５、プリンタケーブル６等で構成される画像処理装置を表している。
【００２５】
図２において７は、公知のデジタルカメラ等で撮像されたデジタル画像データや、前記デジタル画像データに付随する付属情報として格納された前記（合焦）距離情報等や画像属性情報を記憶したリムーバブルなデータ記憶メディアから、画像データやその付属情報を読み取るメディアドライブを表している。
【００２６】
図２の画像処理装置は、デジタルカメラ等で撮像された画像データやその付属情報を通信路を経由して入力するために、図２内には図示していない通信インターフェース部を有している。
【００２７】
図３に、前記に図１及び図２に説明した画像処理装置を実現する機器構成例を示した。図３において、１０４の通信インターフェース、入力Ｉ／Ｏ１０５及びストレージメディアドライブ７は、図１の画像データ獲得手段２０を構成する。
【００２８】
図３のもうひとつの入力Ｉ／Ｏ１０６とキーボード３、及びマウス４は、図１の指示手段６０を構成する。また、図３の出力Ｉ／Ｏ１０７、プリンタケーブル６、プリンタ５は、図１の画像出力手段９０を構成する。図３のもうひとつの出力Ｉ／Ｏ１０８、及びモニタディスプレイ２は、図１の警告手段９０を構成する。
【００２９】
１０１はＣＰＵ、１０２はＲＡＭ、１０３はＲＯＭであり、後述する図４のフローチャートによる処理手順に従って動作することで、図１の条件チェック手段４０、条件修正手段７０、及び、適応処理手段８０等を構成する。ここで、１０１〜１０８は一連のコンピュータシステムを構成しており、図２におけるＰＣ（パーソナルコンピュータ）本体１を構成している。
【００３０】
以下、図４のフローチャートに沿って処理手順を説明する。尚、これらの処理手順は前述したＣＰＵ１０１において実行可能な形式のプログラムとして、ＲＯＭ１０３に予め格納しておき、処理フローに従って順次にＲＯＭ１０３より読み出されて実行されるものである。
【００３１】
図４のフローチャートにおいて、プログラムが実行されると、最初のステップＳ４１にて、処理対象となるデジタル画像データが前記ＲＡＭ１０２上の図示しない記憶領域中に読み込まれる。
【００３２】
前記デジタル画像の読み込みは、それらが記憶されたコンパクトフラッシュ（Ｒ）やメモリカード等のストレージメディアから対応するストレージメディアドライブ７とそのドライブを接続する入力Ｉ／Ｏ１０５を介して、あるいは、通信Ｉ／Ｆ１０４を介して外部の機器より行われる。
【００３３】
次に、ステップＳ４２において、入力Ｉ／Ｏ１０６に接続されるキーボード３やマウス４等の入力指示手段を用いて、操作者から適応処理の指示がされているか否かが判定される。この判定の結果、適応処理の指示がなかった場合には、ステップＳ４９に進んで、ステップＳ１０で読み込んだ画像データを適応処理することなしに出力Ｉ／Ｏ１０７に接続されたプリンタ７にハードコピー出力して、一連の処理を終える。
【００３４】
一方、ステップＳ４２の判定の結果、において、適応処理の指示があった場合にはステップＳ４３に進む。ステップＳ４３では、ステップＳ４１で読み込んだ処理対象となるデジタル画像データに付属する付属情報のデータをＲＡＭ１０２上の図示しない別の記憶領域に読み込む。
【００３５】
前記付属情報のデータの読み込みは、前述した場合と同じく、それらが記憶されたコンパクトフラッシュ（Ｒ）やメモリカード等のストレージメディアから対応するストレージメディアドライブ７とそのドライブを接続する入力Ｉ／Ｏ１０５を介して、あるいは、通信Ｉ／Ｆ１０４を介して外部の機器より読み込み、その後、ステップＳ４４に進む。
【００３６】
ステップＳ４４では、前記ステップＳ４３で読み込まれた付属情報に矛盾がないかを解析する。この解析の結果、前記付属情報に矛盾がある場合には、予め定めたＲＡＭ１０２上の記憶領域にその旨を示すフラグをセットする。また、矛盾がない場合には同フラグをリセットしてステップＳ４５に進む。尚、ステップＳ４４での付属情報の解析については、更に後述する。
【００３７】
ステップＳ４５では、前記ステップＳ４４でセットまたはリセットされたフラグを参照することにより、前記付属情報に矛盾があったか否かを判定する。この判定の結果、矛盾があった場合にはステップＳ４６に進み、そうではなかった場合にはステップＳ４８に進む。
【００３８】
ステップＳ４６では、画像データに対して適応処理を施す上で、付属情報に矛盾があり、整合性をとる必要がある旨を出力Ｉ／Ｏ１０８を介して接続されるモニタディスプレイ２に表示して警告すると共に、矛盾のある付属情報の解釈の指示入力を操作者に促す。ステップＳ４６での警告と指示入力促進に関しては、さらに後述する。ステップＳ４６の処理を終えるとステップＳ４７に進む。
【００３９】
ステップＳ４７では、矛盾のある付属情報の解釈についての操作者からの指示入力を受けて、これに沿った付属情報の解釈を行ってステップＳ４８に進む。
【００４０】
ステップＳ４８では、付属情報の解釈に応じた適応的な処理をステップＳ４１の処理で入力した画像データに施し、その結果をＲＡＭ１０２上に格納する。ステップＳ４８の処理を終えるとステップＳ４９に進む。
【００４１】
ステップＳ４９では、それまでにＲＡＭ１０２上に得られている画像を出力Ｉ／Ｏ１０７を介してプリンタ１０７に出力し、一連の処理を終える。
【００４２】
次に、図５のフローチャートを用いて、先に述べたステップＳ４４における付属情報の解析について補足する。尚、本実施の形態においては、画像に付随する属性情報として、その画像が、“人物画であるか否か（人物画像としての処理が望まれるか否か）”と、“合焦距離が遠景か否か”の情報が、図示しない予め定められた形式で存在するとして説明する。
【００４３】
図５において、付属情報の解析の処理を開始すると、ステップＳ５１において、人物画である旨の指定があるか否かをステップＳ４３にてＲＡＭ１０２上に読み込まれた属性情報中の予め定められた領域をチェックすることで判定する。
【００４４】
この判定の結果、人物画の指定がある場合にはステップＳ５２に進み、そうではない場合にはステップＳ５４に進む。ステップＳ５２では、遠景に合焦して撮影された画像か否かを、前記ステップＳ４３にてＲＡＭ１０２上に読み込まれた属性情報中の予め定められた領域をチェックすることで判定する。
【００４５】
この判定の結果、遠景に合焦したものであればステップＳ５３に進み、そうではない場合にはステップＳ５４に進む。ステップＳ５３では、ＲＡＭ１０２上の所定のフラグ領域に付属情報に矛盾がある旨を示すフラグをセットして、前記ステップＳ４４の一連の処理を終える。
【００４６】
一方、ステップＳ５４においては、ステップＳ５３でも用いる、ＲＡＭ１０２上において定められた所定のフラグ領域に、付属情報に矛盾がない旨を示すためにフラグをリセットして、ステップＳ４４の一連の処理を終える。
【００４７】
このように、ステップＳ４４では、付属情報の中で、人物画の指定があって、かつ、遠景に合焦している場合には矛盾があるものとして解析し、それ以外の場合には矛盾はないものとして判断する。ここで、先に述べたステップＳ６０での警告と指示入力促進に関して補足する。
【００４８】
図６は、前記ステップＳ４９において、モニタディスプレイ２に表示する警告の表示例を示している。図６の表示例は、ステップＳ４１で入力した画像データに対して適応処理を施す上で、付属情報に矛盾があり、整合性をとる必要がある旨を警告すると共に、矛盾のある付属情報の正しい解釈の指示入力を操作者に促す表示例を示している。
【００４９】
図６の表示を終えると、図７の表示を行う。図７の表示例は、図６の６０１または６０２に示されるディスプレイ２上に表示された仮想的なボタンを、指示入力手段としてのマウス４を操作することによって、操作者から矛盾のある付属情報の正しい解釈についての指示入力を受ける。
【００５０】
すなわち、仮想的な第１のボタン６０１がクリックされた場合には、ステップＳ４８においては人物画としての適応処理を、ボタン６０２がクリックされた場合には、ステップＳ４８においては人物画以外に対する処理をステップＳ４１で入力した画像データに施すものである。
【００５１】
ステップＳ４８で行う適応的な処理とは、前述の特開２００１−１６７２６０に開示されるように、人物画としての処理としては、それ以外の場合にくらべて、人物の肌の色の露出や色味を好ましい肌色になるように補正する処理を行い、風景画としての処理としては、空の青さを強調するような補正処理を行い、人物画や風景画ではない場合には、適正な露出補正を画像中の被写体特徴を考慮することなく、画像全体の輝度や色味等に基づいて一定の自動補正処理をするものとする。
【００５２】
＜第２の実施の形態＞
前述した第１の実施の形態の図６で示した表示例で表示する警告と指示入力促進には、図６の代わりに図７の第１の仮想的なボタン７００から第３の仮想的なボタン７０２に示すような３つの仮想的なボタンを持つようなものであってもよく、第２の仮想的なボタン７０１や第３の仮想的なボタン７０２がクリックされた場合にはそれぞれ、図６に示した仮想的なボタン６０１や６０２等がクリックされた場合と同様に動作する。
【００５３】
第１の仮想的なボタン７００がクリックされた場合には、画像出力自体を取りやめて一連の動作を終了するように構成しても、もちろん良い。この場合の処理手順を図８のフローチャートを参照しながら説明する。図８のフローチャートは、図４のフローチャートにおけるステップＳ４６とステップＳ４７の間に、ステップＳ４６５として、第１の仮想的なボタン７００が操作者によりクリックされたときに、一連の処理を終了させるステップが加わるのみで、それ以外は図４の場合の処理と同様であるので、詳細な説明は省略する。
【００５４】
＜第３の実施の形態＞
尚、これまで、画像に付属する属性情報は、デジタルカメラでの撮影時に、得られた画像に付与されるものとして説明を進めてきたが、これら属性情報は、画像編集アプリケーションソフト等を用いて、撮影後に付与されたものであってももちろん良い。
【００５５】
尚、本発明の目的は、前述した第１〜第３の各実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
【００５６】
この場合、記憶媒体から読み出されたプログラムコード自体が前記各実施の形態の機能を実現することとなり、そのプログラムコードを記憶した記憶媒体は本発明を構成することとなる。プログラムコードを供給するための記憶媒体としては、ＲＯＭ、フレキシブルディスク、ハードディスク、光ディスク、光磁気ディスク、ＣＤ−ＲＯＭ、ＣＤ−Ｒ、磁気テープ、不揮発性のメモリカード等を用いることができる。
【００５７】
また、コンピュータが読みだしたプログラムコードを実行することにより、前記各実施の形態の機能が実現されるだけでなく、そのプログラムコードの指示に基づき、コンピュータ上で稼動しているＯＳ等が実際の処理の一部又は全部を行い、その処理によって前記各実施の形態の機能が実現される場合も含まれることは言うまでもない。
【００５８】
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって前記各実施の形態の機能が実現される場合も含まれることは言うまでもない。また、本発明は複数の機器から構成されるシステムに適用しても１つの機器からなる装置に適用しても良い。
【００５９】
【発明の効果】
本発明は前述したように、本発明によれば、画像信号によって表わされる画像データに付随する付属データを獲得し、一貫しないと類推される条件が前記画像データ中に存在したらその旨を操作者に警告して、前記一貫しないと類推される条件の修正、或いは処理の中止を使用者に促すようにしたので、画像データに付随する付属データ中に一貫しないと類推される条件が存在した場合には、その旨を操作者に警告することができ、条件の修正や処理の中止を促すことができる。
【００６０】
また、本発明の他の特徴によれば、前記警告に応じて条件の修正、或いは処理を中止する指示入力が操作者により行われた場合には、前記指示入力に応じて属性データや最適な適応処理の条件の修正を行うようにしたので、得られた画像に付随する属性情報として、一貫しないと類推される情報が伴っていたとしても、これによる不適切な処理の発生を防止することができ、属性データやこれに基く適応処理の条件に応じて、前記画像データに対して適応的な処理を施して、より好適な出力画像を得るようにすることができる。
【図面の簡単な説明】
【図１】本発明の画像処理装置の構成例を示すブロック図である。
【図２】本発明を実施する典型的な画像処理システムの構成例を示す図である。
【図３】本発明を実施する装置のハード構成の一例を示す図である。
【図４】実施の形態の画像処理装置の動作手順の一例を示すフローチャートである。
【図５】付属情報解析処理の一例を示すフローチャートである。
【図６】警告の表示画面の一例を示す図である。
【図７】警告を表示する画面の他の例を示す図である。
【図８】本発明の第２の実施の形態を示し、動作手順を示すフローチャートである。
【符号の説明】
１　ＰＣ本体
２　ディスプレイ
３　キーボード
４　マウス
５　カラープリンタ
６　プリンタケーブル
７　リムバブルメディアドライブ
１０　被写体
２０　画像データ獲得手段
３０　付属データ獲得手段
４０　条件チェック手段
５０　警告手段
６０　指示手段
７０　条件修正手段
８０　適応処理手段
９０　画像出力手段
１０１　ＣＰＵ
１０２　ＲＡＭ
１０３　ＲＯＭ
１０４　フレームメモリ群
１０５　入力Ｉ／Ｏ
１０６　入力Ｉ／Ｏ
１０７　出力Ｉ／Ｏ
１０８　出力Ｉ／Ｏ
【図１】
2004096639.tif 000003
【図２】
2004096639.tif 000004
【図３】
2004096639.tif 000005
【図４】
2004096639.tif 000006
【図５】
2004096639.tif 000007
【図６】
2004096639.tif 000008
【図７】
2004096639.tif 000009
【図８】
2004096639.tif 000010